(57)【特許請求の範囲】
【請求項１】
ディスクテーブルに装着されるディスク状記録媒体の半径方向へ移動すると共に発光素子から照射されたレーザー光を立ち上げミラー及び対物レンズを介してディスク状記録媒体の記録面に照射する光学ピックアップであって、
ディスクテーブルに装着されるディスク状記録媒体の半径方向へ移動自在に支持された移動ベースと、
対物レンズを有しディスク状記録媒体の記録面に対するレーザー光のフォーカシング調整及びトラッキング調整を行う２軸アクチュエーターとを備え、
該２軸アクチュエーターは、
移動ベースに固定された固定部と、
対物レンズを保持すると共にフォーカシングコイル及びトラッキングコイルを有しディスク状記録媒体の記録面に離接する方向であるフォーカシング方向及びディスク状記録媒体の半径方向であるトラッキング方向へ固定部に対して動作される可動部と、
対物レンズを挟んで立ち上げミラーに入射されるレーザー光の光軸方向に離間して配置された一対のヨーク片を有し該一対のヨーク片にそれぞれマグネットが取り付けられると共に磁性金属材料によって形成されたベース部とを有し、
上記ベース部の一方のヨーク片に、上記立ち上げミラーに入射されるレーザー光の光路となる開口部を形成し、該開口部の上側開口縁が上記マグネットの下端と略一致する
ことを特徴とする光学ピックアップ。
【請求項２】
上記可動部に、上記立ち上げミラーに入射されるレーザー光の光路となる切欠部を該切欠部が上記フォーカシングコイルの下端と略一致するように形成した
ことを特徴とする請求項１に記載の光学ピックアップ。
【請求項３】
上記２軸アクチュエーターの可動部の両側面部と固定部の両側面部とをそれぞれワイヤー状のバネ部材によって連結し、
一方の側面部を連結するバネ部材と他方の側面部を連結するバネ部材との間隔を、上記ヨーク片の開口部及び上記可動部の切欠部を有しない側の磁気回路に向かうに従って広げるようにした
ことを特徴とする請求項１に記載の光学ピックアップ。
【請求項４】
上記ヨーク片に形成した開口部にコリメーターレンズを配置した
ことを特徴とする請求項１に記載の光学ピックアップ。
【請求項５】
上記コリメーターレンズの対物レンズを透過されるレーザー光の光軸方向における少なくとも一端部を切断した
ことを特徴とする請求項４に記載の光学ピックアップ。
【請求項６】
ディスク状記録媒体が装着されて回転されるディスクテーブルと、該ディスクテーブルに装着されるディスク状記録媒体の半径方向へ移動すると共に発光素子から照射されたレーザー光を立ち上げミラー及び対物レンズを介してディスク状記録媒体の記録面に照射する光学ピックアップとを備えたディスクドライブ装置であって、
上記光学ピックアップは、
ディスクテーブルに装着されるディスク状記録媒体の半径方向へ移動自在に支持された移動ベースと、
対物レンズを有しディスク状記録媒体の記録面に対するレーザー光のフォーカシング調整及びトラッキング調整を行う２軸アクチュエーターとを備え、
該２軸アクチュエーターは、
移動ベースに固定された固定部と、
対物レンズを保持すると共にフォーカシングコイル及びトラッキングコイルを有しディスク状記録媒体の記録面に離接する方向であるフォーカシング方向及びディスク状記録媒体の半径方向であるトラッキング方向へ固定部に対して動作される可動部と、
対物レンズを挟んで立ち上げミラーに入射されるレーザー光の光軸方向に離間して配置された一対のヨーク片を有し該一対のヨーク片にそれぞれマグネットが取り付けられると共に磁性金属材料によって形成されたベース部とを有し、
上記ベース部の一方のヨーク片に、上記立ち上げミラーに入射されるレーザー光の光路となる開口部を形成し、該開口部の上側開口縁が上記マグネットの下端と略一致する
ことを特徴とするディスクドライブ装置。
【請求項７】
上記可動部に、上記立ち上げミラーに入射されるレーザー光の光路となる切欠部を該切欠部が上記フォーカシングコイルの下端と略一致するように形成した
ことを特徴とする請求項６に記載のディスクドライブ装置。
【請求項８】
上記２軸アクチュエーターの可動部の両側面部と固定部の両側面部とをそれぞれワイヤー状のバネ部材によって連結し、
一方の側面部を連結するバネ部材と他方の側面部を連結するバネ部材との間隔を、上記ヨーク片の開口部及び上記可動部の切欠部を有しない側の磁気回路に向かうに従って広げるようにした
ことを特徴とする請求項６に記載のディスクドライブ装置。
【請求項９】
上記ヨーク片に形成した開口部にコリメーターレンズを配置した
ことを特徴とする請求項６に記載のディスクドライブ装置。
【請求項１０】
上記コリメーターレンズの対物レンズを透過されるレーザー光の光軸方向における少なくとも一端部を切断した
ことを特徴とする請求項９に記載のディスクドライブ装置。
【発明の詳細な説明】
【０００１】
【発明の属する技術分野】
本発明は光学ピックアップ及びこれを備えたディスクドライブ装置に関する。詳しくは、発光素子から照射されたレーザー光を立ち上げミラー及び対物レンズを介してディスク状記録媒体の記録面に照射する光学ピックアップ及びこれを備えたディスクドライブ装置についての技術分野に関する。
【０００２】
【従来の技術】
光ディスク等のディスク状記録媒体に対して情報信号の記録や再生を行うディスクドライブ装置があり、このようなディスクドライブ装置にあっては、情報信号の記録や再生をする際に、光学ピックアップの移動ベースに支持された２軸アクチュエーターを動作させて対物レンズのフォーカシング調整及びトラッキング調整を行うようにしている。
【０００３】
２軸アクチュエーターにあっては、磁気回路の配置や駆動方式等の違いによって種々のタイプが存在し、例えば、磁気回路が対物レンズを挟んで立ち上げミラーに入射されるレーザー光の光軸方向に離間して配置されるタイプの２軸アクチュエーターがある。
【０００４】
このような２軸アクチュエーターの従来のものの一例を以下に示す（図９参照）。
【０００５】
２軸アクチュエーターａは、移動ベースに固定された固定部ｂと該固定部ｂに対してディスク状記録媒体の記録面に離接する方向であるフォーカシング方向及びディスク状記録媒体の半径方向であるトラッキング方向に移動される可動部ｃとを備えている。
【０００６】
可動部ｃはワイヤー状のバネ部材ｄ、ｄ、・・・によって中空に保持されるように固定部ｂに支持されている。可動部ｃには対物レンズｅが保持されていると共にフォーカシングコイルｆ及びトラッキングコイルｇ、ｇ、・・・が巻回されている。
【０００７】
移動ベースには図示しない発光素子（半導体レーザー）から照射されたレーザー光を立ち上げて対物レンズｅに導く立ち上げミラーｈが取り付けられており、該立ち上げミラーｈは対物レンズｅの下方に位置されている。
【０００８】
移動ベースには磁性金属材料によって形成されたベース部ｉ、ｉが取り付けられており、該ベース部ｉ、ｉは発光素子から立ち上げミラーｈに入射されるレーザー光の光軸方向に離間して配置されている。ベース部ｉは、移動ベースに取り付けられた被取付部ｊと該被取付部ｊの両端部からそれぞれ上方へ突出されたヨーク片ｋ、ｌとから成る。
【０００９】
外側のヨーク片ｋ、ｋには、対向する面にそれぞれマグネットｍ、ｍが固定されており、ヨーク片ｋ、ｋはそれぞれ対物レンズｅを挟んで反対側に位置され可動部ｃの外側に配置されている。内側のヨーク片ｌ、ｌは、それぞれ対物レンズｅを挟んで反対側に位置されヨーク片ｋ、ｋ間に配置されている。
【００１０】
以上のように、２軸アクチュエーターａにあっては、ベース部ｉ、ｉとマグネットｍ、ｍとを有する２つの磁気回路が構成される。
【００１１】
２軸アクチュエーターａにあっては、発光素子から照射され立ち上げミラーｈに入射されるレーザー光の光路を確保するために、ベース部ｉ、ｉが立ち上げミラーｈの上方に位置されている。
【００１２】
【発明が解決しようとする課題】
上記のように、従来の２軸アクチュエーターａにあっては、一方のベース部ｉが立ち上げミラーｈに入射されるレーザー光の光路を遮ることがないようにしてレーザー光の光路を確保するために、ベース部ｉ、ｉが立ち上げミラーｈの上方に位置されている。
【００１３】
従って、ベース部ｉ、ｉを立ち上げミラーｈの上方に位置させる分、光学ピックアップの厚みが厚くなってしまい、光学ピックアップが大型となってしまうという問題がある。
【００１４】
そこで、本発明光学ピックアップ及びディスクドライブ装置は、上記した問題点を克服し、磁気回路が立ち上げミラーに入射されるレーザー光の光軸方向に離間して配置されるタイプの２軸アクチュエーターを有する光学ピックアップの薄型化を図ることを課題とする。
【００１５】
【課題を解決するための手段】
本発明光学ピックアップは、上記した課題を解決するために、ディスクテーブルに装着されるディスク状記録媒体の半径方向へ移動自在に支持された移動ベースと、対物レンズを有しディスク状記録媒体の記録面に対するレーザー光のフォーカシング調整及びトラッキング調整を行う２軸アクチュエーターとを設け、該２軸アクチュエーターに、移動ベースに固定された固定部と、対物レンズを保持すると共にフォーカシングコイル及びトラッキングコイルを有しディスク状記録媒体の記録面に離接する方向であるフォーカシング方向及びディスク状記録媒体の半径方向であるトラッキング方向へ固定部に対して動作される可動部と、対物レンズを挟んで立ち上げミラーに入射されるレーザー光の光軸方向に離間して配置された一対のヨーク片を有し該一対のヨーク片にそれぞれマグネットが取り付けられると共に磁性金属材料によって形成されたベース部とを有し、上記ベース部の一方のヨーク片に、上記立ち上げミラーに入射されるレーザー光の光路となる開口部を形成し、該開口部の上側開口縁が上記マグネットの下端と略一致するものである。
【００１６】
また、本発明ディスクドライブ装置は、上記した課題を解決するために、光学ピックアップに、ディスクテーブルに装着されるディスク状記録媒体の半径方向へ移動自在に支持された移動ベースと、対物レンズを有しディスク状記録媒体の記録面に対するレーザー光のフォーカシング調整及びトラッキング調整を行う２軸アクチュエーターとを設け、該２軸アクチュエーターに、移動ベースに固定された固定部と、対物レンズを保持すると共にフォーカシングコイル及びトラッキングコイルを有しディスク状記録媒体の記録面に離接する方向であるフォーカシング方向及びディスク状記録媒体の半径方向であるトラッキング方向へ固定部に対して動作される可動部と、対物レンズを挟んで立ち上げミラーに入射されるレーザー光の光軸方向に離間して配置された一対のヨーク片を有し該一対のヨーク片にそれぞれマグネットが取り付けられると共に磁性金属材料によって形成されたベース部とを有し、上記ベース部の一方のヨーク片に、上記立ち上げミラーに入射されるレーザー光の光路となる開口部を形成し、該開口部の上側開口縁が上記マグネットの下端と略一致するものである。
【００１７】
従って、本発明光学ピックアップ及びディスクドライブ装置にあっては、ベース部の一方のヨーク片に形成した開口部によってレーザー光の光路が確保されるとともに、ヨーク片に取り付けられたマグネットがレーザー光の光路を遮ることもなくなるため、立ち上げミラーをベース部から離間させて配置する必要がない。
【００１８】
【発明の実施の形態】
以下に、本発明光学ピックアップ及びディスクドライブ装置の実施の形態を添付図面に従って説明する。
【００１９】
ディスクドライブ装置１は、外筐２内に所要の各部材及び各機構が配置されて成り（図１参照）、外筐２には図示しないディスク挿入口が形成されている。
【００２０】
外筐２内には図示しないシャーシが配置され、該シャーシに取り付けられたスピンドルモーターのモーター軸にディスクテーブル３が固定されている。
【００２１】
シャーシには、平行なガイド軸４、５が取り付けられると共に図示しない送りモーターによって回転される図示しないリードスクリューが支持されている。
【００２２】
光学ピックアップ６は、移動ベース７と該移動ベース７に設けられた所要の光学部品と移動ベース７上に支持された２軸アクチュエーター８とを有し、移動ベース７の両端部に設けられた軸受部７ａ、７ｂがそれぞれガイド軸４、５に摺動自在に支持されている（図１参照）。移動ベース７に設けられた図示しないナット部材がリードスクリューに螺合され、送りモーターによってリードスクリューが回転されるとナット部材がリードスクリューの回転方向に応じた方向へ送られ、光学ピックアップ６がディスクテーブル３に装着されるディスク状記録媒体１００の半径方向へ移動される。
【００２３】
２軸アクチュエーター８は移動ベース７上に固定された固定部９と該固定部９に対して動作される可動部１０と移動ベース７上に設けられたベース部材１１とから成る（図２乃至図６参照）。
【００２４】
可動部１０は対物レンズ１２とフォーカシングコイル１３及びトラッキングコイル１４、１４、・・・が巻回されたコイルボビン１５とを有している（図４及び図５参照）。
【００２５】
コイルボビン１５には周方向に離間して４つの巻回部１５ａ、１５ａ、・・・が設けられ、該巻回部１５ａ、１５ａ、・・・はコイルボビン１５の周面から略前方又は略後方に突出されている。フォーカシングコイル１３はコイルボビン１５の周面に巻回されており、トラッキングコイル１４、１４、・・・はコイルボビン１５の巻回部１５ａ、１５ａ、・・・にそれぞれ巻回されている。
【００２６】
コイルボビン１５の前端部には、下方に開口された切欠部１５ｂが形成されている（図４及び図５参照）。切欠部１５ｂの上側開口縁は、巻回されたフォーカシングコイル１３の下端と略一致されている。
【００２７】
可動部１０は４本の金属製のワイヤー状を為すバネ部材１６、１６、１７、１７を介して中空に位置するように支持され、該バネ部材１６、１６、１７、１７は固定部９の両側面部と可動部１０の両側面部とに上下に離間して２本ずつが取り付けられている（図２及び図３参照）。一方の側面側に取り付けられたバネ部材１６、１６と他方の側面側に取り付けられたバネ部材１７、１７は、可動部１０から固定部９に近づくに従って互いの間隔が広がるように平面で見てハの字状に配置されている（図２及び図３参照）。
【００２８】
可動部１０は、フォーカシングコイル１３に流れる電流の向きに応じた方向へ固定部９に対してディスク状記録媒体１００の記録面に離接する方向であるフォーカシング方向へ動作され、トラッキングコイル１４、１４、・・・に流れる電流の向きに応じた方向へ固定部９に対してディスク状記録媒体１００の半径方向であるトラッキング方向へ動作される。
【００２９】
ベース部材１１は磁性金属材料から成り、移動ベース７に取り付けられた被取付部１１ａと該被取付部１１ａの前後方向における両端部から上方へ突出されたヨーク片１１ｂ、１１ｃとが一体に形成されて成る（図６参照）。ヨーク片１１ｂ、１１ｃには、対向する面にそれぞれマグネット１８、１８が固定されており、ヨーク片１１ｂ、１１ｃはそれぞれ可動部１０を挟んで前後に配置されている（図２及び図３参照）。
【００３０】
以上のように、２軸アクチュエーター８にあっては、ヨーク片１１ｂとマグネット１８、ヨーク片１１ｃとマグネット１８を含む２つの磁気回路が構成される。
【００３１】
ベース部材１１には、ヨーク片１１ｂから被取付部１１ａに亘る部分に開口部１９が形成され、該開口部１９はヨーク片１１ｂに形成された光通過部１９ａと被取付部１１ａに形成されたミラー配置部１９ｂとから成る（図２及び図６参照）。
【００３２】
光通過部１９ａは下方に開口され、上側開口縁がヨーク片１１ｂに取り付けられたマグネット１８の下端に一致されている（図７参照）。光通過部１９ａには図示しない発光素子（半導体レーザー）から出射されるレーザー光を平行光束とするコリメーターレンズ２０が配置されている（図２、図６及び図７参照）。
【００３３】
このように、ベース部材１１に開口部１９を形成し、該開口部１９にコリメーターレンズ２０を配置することにより、２軸アクチュエーター８の外側にコリメーターレンズ２０の専用の配置スペースを確保する必要がなく、光学ピックアップ６の小型化を図ることができる。
【００３４】
コリメーターレンズ２０は円板形状の上端部及び下端部が切断されて上面及び下面が平面に形成され、その分、高さが低くされている（図６参照）。従って、コリメーターレンズ２０が小型化であり、２軸アクチュエーター８の薄型化を図ることができる。
【００３５】
開口部１９のミラー配置部１９ｂは前方に開口され、該ミラー配置部１９ｂに移動ベース７に取り付けられた立ち上げミラー２１が対物レンズ１２の下方に位置するように配置されている（図６及び図７参照）。
【００３６】
以上のように構成されたディスクドライブ装置１において、スピンドルモーターの回転に伴ってディスクテーブル３が回転されると、該ディスクテーブル３に装着されたディスク状記録媒体１００が回転され、同時に、光学ピックアップ６がディスク状記録媒体１００の半径方向へ移動されてディスク状記録媒体１００に対する記録動作又は再生動作が行われる。
【００３７】
この記録動作及び再生動作において、移動ベース７に設けられた発光素子から出射されたレーザー光が所定の各光学部品及びコリメーターレンズ２０を介して立ち上げミラー２１に入射され、入射されたレーザー光Ｐが立ち上げミラー２１で立ち上げられ対物レンズ１２を介してディスク状記録媒体１００の記録面に照射される（図７参照）。このとき駆動電流がフォーカシングコイル１３及びトラッキングコイル１４、１４、・・・に供給され、レーザー光がディスク状記録媒体１００の記録面の記録トラック上に集光するようにフォーカシング調整及びトラッキング調整が為される。
【００３８】
以上に記載した通り、２軸アクチュエーター８にあっては、ベース部材１１に開口部１９を形成しレーザー光の光路を確保すると共に立ち上げミラー２１の配置スペースを確保しているため、立ち上げミラー２１の上方にベース部材１１を配置する必要がなく、その分、２軸アクチュエーター８の薄型化を図ることができる。
【００３９】
また、可動部１０のコイルボビン１５に切欠部１５ｂを形成しているため、該切欠部１５ｂを発光素子から照射され立ち上げミラー２１に入射されるレーザー光の光路の一部として用いることができ、２軸アクチュエーター８の一層の薄型化を図ることができる。
【００４０】
２軸アクチュエーター８にあっては、上記したように、ベース部材１１のヨーク片１１ｂから被取付部１１ａに亘る部分に開口部１９が形成されている。従って、ヨーク片１１ｂ側の駆動力がヨーク片１１ｃ側の駆動力より弱くなるため、バネ部材１６、１６、１７、１７がバネ力を発揮していない慣性領域においては、可動部１０がヨーク片１１ｂ側の一点を中心としてＡ―Ａ方向へ回動運動される（図３参照）。
【００４１】
一方、バネ部材１６、１６、１７、１７がバネ力を発揮するバネ領域においては、バネ部材１６、１６、１７、１７が平行に配置されているときには、可動部１０がＢ―Ｂ方向へ並進運動されるため（図３参照）、慣性領域における回動運動とバネ値領域における並進運動とのゲイン差により、上下方向に延びる仮想軸を考えたときに、その軸回り方向に可動部１０が回転する所謂ヨーイングが発生し位相変動が生じてしまう。
【００４２】
そこで、２軸アクチュエーター８にあっては、上記したように、バネ部材１６、１６とバネ部材１７、１７とを、可動部１０から固定部９に近づくに従って互いの間隔が広がるように平面で見てハの字状に配置することにより、バネ領域においても慣性領域と同様に可動部１０を回動動作させ、ヨーイングによる位相変動を解消するようにしている。従って、２軸アクチュエーター８の良好な感度を確保することができ、２軸アクチュエーター８の動作の信頼性を向上させることができる。
【００４３】
図８は、バネ部材１６、１６とバネ部材１７、１７とを、可動部１０から固定部９に近づくに従って互いの間隔が広がるように配置した２軸アクチュエーター８の可動部１０をトラッキング方向へ動作させたときの、周波数応答（ゲインと周波数との関係及び位相と周波数との関係）を示したグラフ図である。破線は、開口部１９を形成しバネ部材１６、１６、１７、１７を平行に配置した２軸アクチュエーターについてのデーターである。
【００４４】
図８に示すように、バネ部材１６、１６、１７、１７を平行に配置した２軸アクチュエーターにおいては、Ｃ領域において共振が発生しＤ領域においてヨーイングが発生しているが、２軸アクチュエーター８においてはこれらの不具合が発生していない。
【００４５】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００４６】
【発明の効果】
以上に記載したところから明らかなように、本発明光学ピックアップは、ディスクテーブルに装着されるディスク状記録媒体の半径方向へ移動すると共に発光素子から照射されたレーザー光を立ち上げミラー及び対物レンズを介してディスク状記録媒体の記録面に照射する光学ピックアップであって、ディスクテーブルに装着されるディスク状記録媒体の半径方向へ移動自在に支持された移動ベースと、対物レンズを有しディスク状記録媒体の記録面に対するレーザー光のフォーカシング調整及びトラッキング調整を行う２軸アクチュエーターとを備え、該２軸アクチュエーターは、移動ベースに固定された固定部と、対物レンズを保持すると共にフォーカシングコイル及びトラッキングコイルを有しディスク状記録媒体の記録面に離接する方向であるフォーカシング方向及びディスク状記録媒体の半径方向であるトラッキング方向へ固定部に対して動作される可動部と、対物レンズを挟んで立ち上げミラーに入射されるレーザー光の光軸方向に離間して配置された一対のヨーク片を有し該一対のヨーク片にそれぞれマグネットが取り付けられると共に磁性金属材料によって形成されたベース部とを有し、上記ベース部の一方のヨーク片に、上記立ち上げミラーに入射されるレーザー光の光路となる開口部を形成し、該開口部の上側開口縁が上記マグネットの下端と略一致することを特徴とする。
【００４７】
従って、ベース部の一方のヨーク片に形成した開口部によってレーザー光の光路が確保されるとともに、ヨーク片に取り付けられたマグネットがレーザー光の光路を遮ることもなくなるため、立ち上げミラーをベース部から離間させて配置する必要がなく、その分、光学ピックアップの薄型化を図ることができる。
【００４８】
請求項２に記載した発明にあっては、上記可動部に立ち上げミラーに入射されるレーザー光の光路となる切欠部を該切欠部がフォーカシングコイルの下端と略一致するように形成したので、光学ピックアップの一層の薄型化を図ることができる。
【００４９】
請求項３に記載した発明にあっては、上記２軸アクチュエーターの可動部の両側面部と固定部の両側面部とをそれぞれワイヤー状のバネ部材によって連結し、一方の側面部を連結するバネ部材と他方の側面部を連結するバネ部材との間隔を、ヨーク片の開口部及び可動部の切欠部を有しない側の磁気回路に向かうに従って広げるようにしたので、バネ領域においても慣性領域と同様に可動部が回動動作され、ヨーイングによる位相変動が解消されるため、２軸アクチュエーターの良好な感度を確保することができ、光学ピックアップの動作の信頼性を向上させることができる。
【００５０】
請求項４に記載した発明にあっては、上記ヨーク片に形成した開口部にコリメーターレンズを配置したので、２軸アクチュエーターの外側にコリメーターレンズの専用の配置スペースを確保する必要がなく、光学ピックアップの小型化を図ることができる。
【００５１】
請求項５に記載した発明にあっては、上記コリメーターレンズの対物レンズを透過されるレーザー光の光軸方向における少なくとも一端部を切断したので、コリメーターレンズが小型となり、光学ピックアップの薄型化を図ることができる。
【００５２】
また、本発明ディスクドライブ装置は、ディスク状記録媒体が装着されて回転されるディスクテーブルと、該ディスクテーブルに装着されるディスク状記録媒体の半径方向へ移動すると共に発光素子から照射されたレーザー光を立ち上げミラー及び対物レンズを介してディスク状記録媒体の記録面に照射する光学ピックアップとを備えたディスクドライブ装置であって、上記光学ピックアップは、ディスクテーブルに装着されるディスク状記録媒体の半径方向へ移動自在に支持された移動ベースと、対物レンズを有しディスク状記録媒体の記録面に対するレーザー光のフォーカシング調整及びトラッキング調整を行う２軸アクチュエーターとを備え、該２軸アクチュエーターは、移動ベースに固定された固定部と、対物レンズを保持すると共にフォーカシングコイル及びトラッキングコイルを有しディスク状記録媒体の記録面に離接する方向であるフォーカシング方向及びディスク状記録媒体の半径方向であるトラッキング方向へ固定部に対して動作される可動部と、対物レンズを挟んで立ち上げミラーに入射されるレーザー光の光軸方向に離間して配置された一対のヨーク片を有し該一対のヨーク片にそれぞれマグネットが取り付けられると共に磁性金属材料によって形成されたベース部とを有し、上記ベース部の一方のヨーク片に、上記立ち上げミラーに入射されるレーザー光の光路となる開口部を形成し、該開口部の上側開口縁が上記マグネットの下端と略一致することを特徴とする。
【００５３】
従って、ベース部の一方のヨーク片に形成した開口部によってレーザー光の光路が確保されるとともに、ヨーク片に取り付けられたマグネットがレーザー光の光路を遮ることもなくなるため、立ち上げミラーをベース部から離間させて配置する必要がなく、その分、ディスクドライブ装置の薄型化を図ることができる。
【００５４】
請求項７に記載した発明にあっては、上記可動部に立ち上げミラーに入射されるレーザー光の光路となる切欠部を該切欠部がフォーカシングコイルの下端と略一致するように形成したので、ディスクドライブ装置の一層の薄型化を図ることができる。
【００５５】
請求項８に記載した発明にあっては、上記２軸アクチュエーターの可動部の両側面部と固定部の両側面部とをそれぞれワイヤー状のバネ部材によって連結し、一方の側面部を連結するバネ部材と他方の側面部を連結するバネ部材との間隔を、ヨーク片の開口部及び可動部の切欠部を有しない側の磁気回路に向かうに従って広げるようにしたので、バネ領域においても慣性領域と同様に可動部が回動動作され、ヨーイングによる位相変動が解消されるため、２軸アクチュエーターの良好な感度を確保することができ、ディスクドライブ装置の動作の信頼性を向上させることができる。
【００５６】
請求項９に記載した発明にあっては、上記ヨーク片に形成した開口部にコリメーターレンズを配置したので、２軸アクチュエーターの外側にコリメーターレンズの専用の配置スペースを確保する必要がなく、ディスクドライブ装置の小型化を図ることができる。
【００５７】
請求項１０に記載した発明にあっては、上記コリメーターレンズの対物レンズを透過されるレーザー光の光軸方向における少なくとも一端部を切断したので、コリメーターレンズが小型となり、ディスクドライブ装置の薄型化を図ることができる。
【図面の簡単な説明】
【図１】図２乃至図８と共に本発明光学ピックアップ及びディスクドライブ装置の実施の形態を示すものであり、本図はディスクドライブ装置の概略平面図である。
【図２】２軸アクチュエーターの拡大斜視図である。
【図３】２軸アクチュエーターの拡大平面図である。
【図４】２軸アクチュエーターの可動部を示す拡大斜視図である。
【図５】２軸アクチュエーターの可動部を図４とは別の方向から見た状態で示す拡大斜視図である。
【図６】ベース部材と立ち上げミラー及びコリメーターレンズとの位置関係を示す拡大斜視図である。
【図７】ベース部材と立ち上げミラーとコリメーターレンズの位置関係を示す拡大断面図である。
【図８】２軸アクチュエーターの可動部をトラッキング方向へ動作させたときの周波数応答を示すグラフ図である。
【図９】従来の２軸アクチュエーターを示す概略側面図である。
【符号の説明】
１…ディスクドライブ装置、３…ディスクテーブル、６…光学ピックアップ、７…移動ベース、８…２軸アクチュエーター、９…固定部、１０…可動部、１１…ベース部材（ベース部）、１１ｂ…ヨーク片、１１ｃ…ヨーク片、１２…対物レンズ、１３…フォーカシングコイル、１４…トラッキングコイル、１５ｂ…切欠部、１６…バネ部材、１７…バネ部材、１８…マグネット、１９…開口部、２０…コリメーターレンズ、２１…立ち上げミラー、１００…ディスク状記録媒体
【図１】
0004200415.tif 000002
【図２】
0004200415.tif 000003
【図３】
0004200415.tif 000004
【図４】
0004200415.tif 000005
【図５】
0004200415.tif 000006
【図６】
0004200415.tif 000007
【図７】
0004200415.tif 000008
【図８】
0004200415.tif 000009
【図９】
0004200415.tif 000010